(57)【特許請求の範囲】
【請求項１】
一方に洗い場、他方に浴槽載置場を設置した防水床、あるいは洗い場付き浴槽の周囲壁付け面に複数の支柱を立設し、この支柱間に側壁パネルを取り付けるとともに、支柱上部に天井パネルを固定してなる浴室ユニットにおいて、上記天井パネルが、上面と、側面と、この側面周縁に形成されるフランジとを一体成形され、このフランジに支柱上部を直接固定したことを特徴とする浴室ユニット。
【請求項２】
天井パネルが、発泡樹脂により成形されることを特徴とする請求項１に記載の浴室ユニット。
【発明の詳細な説明】
【０００１】
【発明の属する技術分野】
本発明は、ホテル，マンション，一般住宅等に設置される浴室ユニットに関するもので、特に、浴室ユニットの組立作業の短縮化を図るとともに、安価で且つ断熱性，耐久性等の機能性に富む浴室ユニットに関する。
【０００２】
【従来の技術】
従来の浴室ユニットは、方形の底部に周囲を立設して側壁を形成するとともに、その先端を水平に折曲して壁付け面を形成し、更に、その先端を立ち上がらせて立上り壁を形成し、一方に洗い場、他方に浴槽載置場を設けてＳＭＣ等の合成樹脂によって防水床を形成するとともに、図３に示すように、防水床１周囲の壁付け面に支柱である複数のコーナーフレーム６，フラットフレーム７及びドア枠８を立設し、該支柱間に側壁パネル１２を取り付け、天井パネル１３の周囲に天井フレーム１４を介してコーナーフレーム６，フラットフレーム７及びドア枠８を上部に取り付けて天井パネル１３を組み立てていた。
【０００３】
すなわち、図４に示すように、天井パネル１３の取付構造は、天井パネル１３の周縁に天井フレーム１４を介してコーナーフレーム６及びフラットフレーム７をビス止め固定しているのが実情である。
【０００４】
【発明が解決しようとする課題】
このように、従来行なわれている天井パネル１３の組立て構造は、作業現場において、天井パネル１３に天井フレーム１４を取り付けなければならず、作業に長時間を要するとの課題がある。
【０００５】
また、天井パネル１３の組み立てには、天井フレーム１４、ネジ等の部品点数が多く必要であり、コスト高になるとともに、部品梱包数が多くなるとの課題もあった。
【０００６】
更に、従来使用されていた鋼板製天井パネル，真空成形による樹脂製天井パネルにおいては、断熱性が優れているとはいえず、且つ耐久性や軽量化等の諸機能を満足するものではなかった。
【０００７】
本発明は、このような事情に鑑みてなされたもので、天井フレーム１４を廃止でき、浴室ユニットのコーナーフレーム６やフラットフレーム７に直接天井パネル１３を取り付ける構造を採用することにより、浴室ユニットの組立て作業の短縮化を図るとともに、荷扱いを容易にし、しかも、安価に、且つ断熱性，耐久性，軽量化等の諸機能を満足できる浴室ユニットを提供することを目的とする。
【０００８】
【課題を解決するための手段】
本発明は、図１及び図２に示すように、一方に洗い場、他方に浴槽載置場を設置した防水床１、あるいは洗い場付き浴槽の周囲壁付け面４に複数の支柱６，７（コーナーフレーム６，フラットフレーム７）を立設し、この支柱（コーナーフレーム６，フラットフレーム７）間に側壁パネルを取り付けるとともに、支柱上部に天井パネル９を固定してなる浴室ユニットにおいて、上記天井パネル９が、上面１１と、側面１０と、この側面１０周縁に形成されるフランジ１５とを一体成形され、このフランジ１５に支柱上部を直接固定したことを特徴とする。
【０００９】
そして、本発明に使用される天井パネル９は、発泡樹脂により成形されることが好ましい。
【００１０】
ここで、本発明の発泡樹脂は、発泡ポリスチレン（以下発泡ＰＳという）が軽量化，成形性，断熱性の点で優れており、発泡ポリプロピレン（ＰＰ），発泡ポリフェニレンオキシド（ＰＰＯ）等、発泡性樹脂材料であれば使用が可能であり、また、成形工法としては、射出成形，冷間プレス成形，モールドプレス成形等の熱成形一般が使用されて良いが、成形性を考慮すると、射出成形が好ましい。
【００１１】
以上の構成から明らかなように、天井パネル９の材質として、発泡ＰＳ等の発泡樹脂を使用するとともに、所望の肉厚及び良好な成形性が確保できることから、コーナーフレーム６，フラットフレーム７を取り付けるためのフランジ１５を一体に天井パネル９に形成し、コーナーフレーム６及びフラットフレーム７と天井パネル９の取り付けに従来使用していた天井フレーム１４（図４参照）を廃止できる。
【００１２】
更に天井パネル９の材質として、発泡ＰＳ等の発泡樹脂を使用することにより、成形性に加えて軽量化，断熱性にも優れる。尚、本発明では、コーナーフレーム６及びフラットフレーム７と述べているものの、一部がドア枠に置き換えられていても良い。
【００１３】
【発明の実施の形態】
以下、本発明に係る浴室ユニットの実施形態について、添付図面に基づいて詳細に説明する。
【００１４】
図１は本発明に係る浴室ユニットにおける防水床１の側面図、図２は天井パネル９の取付構造を示す斜視図である。
【００１５】
図１において、防水床１は、方形の底部２周囲を立ち上がらせて側壁３を形成するとともに、その先端を水平に折曲して壁付け面４を形成し、更にその先端を立ち上がらせて立上り壁５を形成する。更に、一方に洗い場ａ、他方に浴槽載置場ｂを設けて、ＳＭＣ等の合成樹脂によって所望形状に成形されている。
【００１６】
そして、図２に示すように、防水床１（図１参照）周囲の壁付け面４（図１参照）に支柱である複数のコーナーフレーム６，フラットフレーム７及びドア枠（図２では図示せず）を立設するとともに、コーナーフレーム６，フラットフレーム７間に内面より複数枚の側壁パネル１２（図示省略）を取り付けて室内を形成するが、天井パネル９は、発泡樹脂によって側面１０及び上面１１を備えた略方形状の天井パネル９であり、周縁に沿ってフランジ１５が形成されている。この天井パネル９は天井パネル９のフランジ１５とコーナーフレーム６，フラットフレーム７の両端部及びドア枠（図示省略）上面とにビス等で浴室ユニットの内側より固定される。
【００１７】
尚、天井パネル９の形状は、支柱及びドア枠が固定できるフランジ１５があればいかなる形状であっても良い。また、上記実施形態において防水床１を用いた構成としたが、上記防水床１に限定されることなく、洗い場付き浴槽であっても良い。
【００１８】
上記天井パネル９は、本実施の形態には、発泡ＰＳの射出成形体から構成されており、成形性が良好で浴室ユニットの自由な形状に設定できるとともに、断熱性，耐久性に優れており、軽量であるため、取り扱いも容易である。
【００１９】
更に、例えば、従来の鋼板天井パネル１３（図３参照）であれば、２枚の鋼板を補強リブを介してビス止め固定して全体の天井パネル１３を構成していたが、発泡ＰＳの射出成形体から構成すれば、嵌め合わせにより簡単に天井パネル９同士を一体化でき、このことも施工時間の短縮化に大きく貢献できる。
【００２０】
【発明の効果】
本発明は、一方に洗い場、他方に浴槽載置場を設置した防水床、あるいは洗い場付き浴槽の周囲壁付け面に複数の支柱を立設し、この支柱間に側壁パネルを取り付けるとともに、支柱上部に天井パネルを固定してなる浴室ユニットにおいて、前記天井パネルは略方形に成形され、周縁に沿ってフランジを一体形成し、このフランジに支柱上部を固定した構成であるため、現地において天井パネルに天井フレームを取り付ける作業が廃止でき、浴室ユニットの組立て作業の短縮化が図れるとともに、荷扱いが容易になり、大幅なコスト低減を図ることができるという効果を有する。
【００２１】
更に、天井パネルを発泡樹脂成形体から構成することにより、断熱性，軽量化，成形性に優れるとともに、浴室ユニット内の造形自由度を高めることができ、且つ天井パネルを嵌合により接合できるため、浴室ユニットの諸機能を高めるとともに、施工時間のより短縮化を図ることができるという効果を有する。
【図面の簡単な説明】
【図１】本発明に係る浴室ユニットにおける防水床の一実施形態を示す側面図。
【図２】本発明に係る浴室ユニットにおける天井パネルの取付構造の一実施形態を示す斜視図。
【図３】従来の浴室ユニットを示す外観図。
【図４】従来の浴室ユニットにおける天井パネルの取付構造を示す斜視図。
【符号の説明】
１  防水床
２  底部
３  側壁
４  壁付け面
５  立上り壁
６  コーナーフレーム
７  フラットフレーム
８  ドア枠
９  天井パネル
１０  側面
１１  上面
１２  側壁パネル
１３  天井パネル
１４  天井フレーム
１５  フランジ
【図１】
0003775545.tif 000002
【図２】
0003775545.tif 000003
【図３】
0003775545.tif 000004
【図４】
0003775545.tif 000005